(57)【要約】【課題】 包絡線の変動する信号を線形かつ高効率に増幅することが困難であった。【解決手段】  入力端子１０６に接続された演算回路と、演算回路に接続されたベクトル量子化器１１１と、その出力側の出力端子１１４とを備え、演算回路は、第１入力端子８０１および第２入力端子８０２を有するベクトル引き算器１０７と、ベクトル引き算器１０７の出力側に接続されたベクトル積分器１０８との単位回路が、ｎ（ｎは自然数）個接続されたものであり、出力端子１１４の出力および／または各ベクトル積分器１０８の出力は、各単位回路のベクトル引き算器１０７の第２入力端子８０２に入力され、ベクトル引き算器１０７は、第１入力端子８０１から入力されたベクトルから第２入力端子８０２に入力されたベクトルを引き算したデータを出力し、ベクトル量子化器１１１は、入力されたベクトルの少なくとも大きさに関して量子化された所定の値を出力する、データ変換器。【選択図】  図１２
2004159319.tif 000002
【特許請求の範囲】
【請求項１】
ＩデータおよびＱデータを有するパラレルデータが入力されるパラレルデータ入力端子と、
前記パラレルデータ入力端子に接続された演算回路と、
前記演算回路の出力側に接続された第１ベクトル量子化器と、
前記第１ベクトル量子化器の出力側に接続された出力端子と、を備え、
前記Ｉデータおよび前記Ｑデータは所定のベクトルを形成しており、
前記演算回路は、第１入力端子および第２入力端子を有する、第１ベクトル引き算器と、  前記第１ベクトル引き算器の出力側に接続されたベクトル積分器とを備える単位回路が、ｎ（ｎは自然数）個接続されたものであり、
前記出力端子の出力および／または前記各ベクトル積分器の出力は、前記各単位回路の第１ベクトル引き算器の第２入力端子に入力され、
前記パラレルデータ入力端子は、第一番目の単位回路の第１ベクトル引き算器の第１入力端子に接続され、
前記単位回路どうしは、ベクトル積分器の出力端子と第１ベクトル引き算器の第１入力端子とが接続され、
前記第１ベクトル引き算器は、前記第1入力端子から入力されたパラレルデータのなすベクトルから前記第2入力端子に入力されたパラレルデータのなすベクトルを引き算したパラレルデータを出力し、
前記ベクトル積分器は、入力された前記パラレルデータで構成されるベクトルを積分し、
前記第１ベクトル量子化器は、入力されたベクトルの少なくとも大きさに関して量子化された所定の値を出力する、データ変換器。
【請求項２】
前記第１ベクトル量子化器は、入力されるベクトルと同じ位相のベクトルを出力する、請求項１に記載のデータ変換器。
【請求項３】
前記第１ベクトル量子化器へ入力されたベクトルの大きさが所定の閾値以上のときは、前記第１ベクトル量子化器は、その大きさが前記所定の閾値であり、その位相が前記入力されたベクトルと等しいベクトルを出力し、
前記第１ベクトル量子化器へ入力されたベクトルの大きさが所定の閾値より小さいときは、前記第１ベクトル量子化器は、ゼロベクトルを出力する、請求項１に記載のデータ変換器。
【請求項４】
前記第１ベクトル量子化器は、ベクトルの大きさ、位相の両方に関して量子化する、請求項１に記載のデータ変換器。
【請求項５】
所定のベクトルを有するパラレルデータが入力されるパラレルデータ入力端子と、
第１入力端子および第２入力端子を有し、前記パラレルデータ入力端子に前記第1入力  端子が接続された第１ベクトル引き算器と、
前記第１ベクトル引き算器の出力側に接続された第２ベクトル量子化器と、
前記第２ベクトル量子化器の出力側に接続された出力端子とを具備し、
前記第２ベクトル量子化器は、入力されたベクトルの少なくとも大きさに関して量子化された所定の値を出力し、
前記量子化された所定の値は前記第１ベクトル引き算器の第２入力端子へ入力され、
前記第１ベクトル引き算器は、前記第１入力端子に入力された前記パラレルデータのなすベクトルから前記第２入力端子に入力されたパラレルデータのなすベクトルを引き算したパラレルデータを出力する、データ変換器。
【請求項６】
前記第２ベクトル量子化器は、入力されるベクトルと同じ位相のベクトルを出力する、請求項５に記載のデータ変換器。
【請求項７】
前記第２ベクトル量子化器は、ベクトルの大きさ、位相の両方に関して量子化する、請求項５に記載のデータ変換器。
【請求項８】
第１入力端子および第２入力端子を有し、前記第２ベクトル量子化器の出力側に前記第１入力端子が接続された第２ベクトル引き算器をさらに備え、
前記第１ベクトル引き算器の出力は前記第２ベクトル引き算器の第２入力端子にも接続され、
前記第２ベクトル引き算器は、前記第２ベクトル引き算器の第１入力端子に入力されたパラレルデータのなすベクトルから前記第２ベクトル引き算器の第２入力端子に入力されたパラレルデータのなすベクトルを引き算したパラレルデータを出力し、
前記第２ベクトル量子化器の出力が、前記第２ベクトル引き算器を介して前記第１ベクトル引き算器の第２入力端子に入力される、請求項５に記載のデータ変換器。
【請求項９】
前記第１ベクトル引き算器は、第１データが入力される第１入力端子および第２入力端子を有する第１スカラー引き算器と、前記第１データと直交する関係にある第２データが入力される第１入力端子および第２入力端子を有する第２スカラー引き算器と、を有し、
前記ベクトル積分器は、前記第１スカラー引き算器の出力に接続された第１スカラー積分器と、前記第２スカラー引き算器の出力に接続された第２スカラー積分器と、を有し、
前記第１ベクトル量子化器は、前記第１スカラー積分器の出力、および前記第２スカラー積分器の出力が直交座標系のデータとしてそれぞれ入力され、前記入力された直交座標系のデータを極座標系のデータに変換し、前記極座標系のデータを振幅データおよび位相データとして出力する第１座標変換器と、前記第１座標変換器から出力される少なくとも振幅データを量子化する第１スカラー量子化器と、前記第１スカラー量子化器の出力側および／または前記第１座標変換器の出力側に接続され、極座標系のデータとして、前記第１スカラー量子化器および／または前記第１座標変換器から出力された、振幅データおよび位相データから、直交座標系のデータとして、前記第１データに対応する第３データ、および前記第２データに対応する第４データを出力する第２座標変換器と、を有し、
前記第１スカラー量子化器は、前記第１座標変換器の出力側に接続され、所定の値として量子化された、少なくとも振幅データを出力し、
前記出力端子は、前記第２座標変換器に接続され、前記第３データを出力する第１出力端子と、前記第２座標変換器に接続され、前記第４データを出力する第２出力端子と、を有し、
前記第３データまたは前記各第１スカラー積分器の出力のうちの少なくともいずれかが前記各第１スカラー引き算器のうちの少なくともいずれかの第２入力端子に入力され、前記第４データまたは前記各第２スカラー積分器の出力のうちの少なくともいずれかが前記第２スカラー引き算器のうちの少なくともいずれかの第２入力端子に入力される、請求項１に記載のデータ変換器。
【請求項１０】
前記ｎは１であり、
前記第３データが前記第１スカラー引き算器の第２入力端子に入力され、前記第１スカラー引き算器は、前記第１データから前記第３データを引き算し、前記引き算されたデータが前記第１スカラー積分器に出力され、
前記第４データが前記第２スカラー引き算器の第２入力端子に入力され、前記第２スカラー引き算器は、前記第２データから前記第４データを引き算し、前記引き算されたデータが前記第２スカラー積分器に出力される、請求項９に記載のデータ変換器。
【請求項１１】
前記第１ベクトル量子化器は、入力されるベクトルと同じ位相のベクトルを出力する、請求項１０に記載のデータ変換器。
【請求項１２】
前記第１ベクトル量子化器は、前記振幅データを量子化し、かつ前記位相データを量子化する、請求項１０に記載のデータ変換器。
【請求項１３】
前記第１ベクトル引き算器は、第１データが入力される第１入力端子および第２入力端子を有する第１スカラー引き算器と、前記第１データと直交する関係にある第２データが入力される第１入力端子および第２入力端子を有する第２スカラー引き算器と、を有し、
前記第２ベクトル量子化器は、前記第１スカラー引き算器の出力および前記第２スカラー引き算器の出力が直交座標系のデータとしてそれぞれ入力され、前記入力された直交座標系のデータを極座標系のデータに変換し、前記極座標系のデータを振幅データおよび位相データとして出力する第１座標変換器と、前記第１座標変換器から出力される少なくとも振幅データを量子化する第２スカラー量子化器と、前記第２スカラー量子化器および／または前記第１座標変換器から出力された、振幅データおよび位相データが極座標系のデータから直交座標系のデータに変換されて、前記第１データに対応する第３データ、および前記第２データに対応する第４データを出力する第２座標変換器と、を有し、
前記第２スカラー量子化器は、前記第１座標変換器の出力側に接続され、所定の値として量子化された、少なくとも振幅データを出力し、
前記出力端子は、前記第２座標変換器に接続された、前記第３データを出力する第１出力端子と、前記第２座標変換器に接続され、前記第４データを出力する第２出力端子とを有し、
前記第３データが前記第１スカラー引き算器の第２入力端子に入力され、前記第１スカラー引き算器は、前記第１データから前記第３データを引き算し、前記引き算されたデータが前記第１座標変換器の一方の入力に入力され、
前記第４データが前記第２スカラー引き算器の第２入力端子に入力され、前記第２スカラー引き算器は、前記第２データから前記第４データを引き算し、前記引き算されたデータが前記第１座標変換器の他方の入力に入力される、請求項５に記載のデータ変換器。
【請求項１４】
前記第２ベクトル量子化器は、入力されるベクトルと同じ位相のベクトルを出力する、請求項１３に記載のデータ変換器。
【請求項１５】
前記第２ベクトル量子化器は、前記振幅データをベクトルの大きさに関して量子化し、かつ前記位相データをベクトルの位相に関して量子化する、請求項１３に記載のデータ変換器。
【請求項１６】
前記第１ベクトル引き算器は、第１データが入力される第１入力端子、および第２入力端子を有する第１スカラー引き算器と、前記第１データと直交する関係にある第２データが入力される第１入力端子および第２入力端子を有する第２スカラー引き算器と、を有し、
前記第２ベクトル量子化器は、前記第１スカラー引き算器の出力および前記第２スカラー引き算器の出力が直交座標系のデータとしてそれぞれ入力され、前記入力された直交座標系のデータを極座標系のデータに変換し、前記極座標系のデータを振幅データおよび位相データとして出力する第１座標変換器と、前記第１座標変換器から出力される少なくとも振幅データを量子化する第２スカラー量子化器と、前記第２スカラー量子化器および／または前記第１座標変換器から出力された、振幅データおよび位相データが極座標系のデータから、直交座標系のデータに変換されて、前記第１データに対応する第３データ、および前記第２データに対応する第４データを出力する第２座標変換器と、を有し、
前記第２スカラー量子化器は、前記第１座標変換器の出力側に接続され、所定の値として量子化された、少なくとも振幅データを出力し、
前記第２ベクトル引き算器は、前記第３データがその第１入力端子に入力され、前記第１スカラー引き算器からの出力データがその第２入力端子に入力され、前記第３データから前記第１スカラー引き算器からの出力データが引き算されて第５データとして出力する第３スカラー引き算器と、前記第４データがその第１入力端子に入力され、前記第２スカラー引き算器からの出力データがその第２入力端子に入力され、前記第４データから前記第２スカラー引き算器からの出力データが引き算されて第６データとして出力する第４スカラー引き算器と、を有し、
前記第５データが前記第１スカラー引き算器の第２入力端子に入力され、前記第１スカラー引き算器は、前記第１データから前記第５データを引き算し、前記引き算されたデータが前記第１座標変換器の一方の入力に入力され、
前記第６データが前記第２スカラー引き算器の第２入力端子に入力され、前記第２スカラー引き算器は、前記第２データから前記第６データを引き算し、前記引き算されたデータが前記第１座標変換器の他方の入力に入力される、請求項８に記載のデータ変換器。
【請求項１７】
前記第２ベクトル量子化器は、入力されるベクトルと同じ位相のベクトルを出力する、請求項１６に記載のデータ変換器。
【請求項１８】
前記第２ベクトル量子化器は、前記振幅データをベクトルの大きさに関して量子化し、かつ前記位相データをベクトルの位相に関して量子化する、請求項１６に記載のデータ変換器。
【請求項１９】
前記第１ベクトル量子化器は、ｎ個の閾値を有しており、
前記第１ベクトル量子化器への入力ベクトルの大きさが、前記ｎ個の閾値のうち、最も大きい閾値より大きいときは、その大きさが前記最も大きい閾値の大きさで、その位相が前記入力ベクトルと等しいベクトルを出力し、
前記第１ベクトル量子化器への入力ベクトルの大きさが、前記ｎ個の閾値のうち、最も小さい閾値より小さいときは、ゼロベクトルを出力し、
前記第１ベクトル量子化器への入力ベクトルの大きさが、前記ｎ個の閾値のうち、最も小さい閾値と最も大きい閾値との間にあるときは、前記入力ベクトルの大きさより小さい閾値のうち最も大きい閾値をその振幅とし、その位相が前記入力ベクトルと等しいベクトルを出力する、請求項１または１０に記載のデータ変換器。
【請求項２０】
前記第２ベクトル量子化器は、所定の振幅を有し、位相が前記入力ベクトルと等しいベクトルを出力する、請求項５または８に記載のデータ変換器。
【請求項２１】
前記第２ベクトル量子化器は、入力されるベクトルがａ、ｂ（ａ、ｂは負でない実数、ａ＜ｂ）の中間値よりも小さい場合は、ａを出力し、前記中間値以上のときはｂを出力する、請求項５または８に記載のデータ変換器。
【請求項２２】
請求項１または５に記載のデータ変換器と、
前記データ変換器からの出力を直交変調する直交変調部と、を備える信号発生器。
【請求項２３】
前記データ変換器がデジタル信号処理で実現されている、請求項２２に記載の信号発生器。
【請求項２４】
請求項２２に記載の信号発生器と、
前記信号発生器の直交変調部に直接または間接的に接続された増幅器と、
前記増幅器に接続されたバンドパスフィルタと、
前記バンドパスフィルタに直接または間接的に接続されたアンテナとを備える、送信機。
【請求項２５】
前記データ変換器の出力側および前記直交変調部の入力側の間に設置され、前記データ変換器から出力される信号をローパスフィルタリングして前記直交変調部に伝達するためのローパスフィルタをさらに備える、請求項２４に記載の送信機。
【請求項２６】
前記送信機から出力する変調波の種類に応じて、前記所定の値が制御される、請求項２４に記載の送信機。
【請求項２７】
出力される信号の周波数に応じて、前記バンドパスフィルタの通過周波数が制御される、請求項２４に記載の送信機。
【請求項２８】
前記データ変換器は、前記増幅器の非線形性を補償するデータを発生させる、請求項２４に記載の送信機。
【請求項２９】
パラレルデータを作成するためのデータ生成部と、
前記データ生成部に接続された請求項１または５に記載のデータ変換器と、
前記データ変換器に接続された第１変調器と、
前記第１変調器に接続された第１増幅器と、
前記データ生成部に一方の入力側が接続されている第３ベクトル引き算器と、
前記第３ベクトル引き算器の出力側に接続された第２の変調器と、
前記第２の変調器に接続された第２の増幅器と、
前記第１の増幅器の出力側、および前記第２の増幅器の出力側がそれぞれ入力として接続され、前記第１の増幅器の出力および前記第２の増幅器の出力を合成して前記合成され  た信号を出力する合成器と、
前記合成器の出力側に接続されたアンテナとを備え、
前記データ変換器の出力は前記第３ベクトル引き算器のもう一方の入力側へも接続されており、
前記第３ベクトル引き算器は、前記データ変換器により変換されたパラレルデータから、前記データ生成器で生成されたパラレルデータを引くことにより、量子化雑音データを出力し、
前記合成は、前記量子化雑音データに対して、実質上等振幅、逆位相でなされる、送信機。
【請求項３０】
請求項２５に記載の送信機と、信号を受信するための受信機と、信号を送信および／または受信するためのアンテナとを備える通信機器。
【請求項３１】
ＩデータおよびＱデータを有するパラレルデータをパラレルデータ入力端子に入力する工程と、
前記パラレルデータ入力端子に接続された演算回路において、ベクトル引き算工程とベクトル積分工程との演算工程をｎ（ｎは自然数）回行う工程と、
前記演算回路から出力されたベクトルの少なくとも大きさに関して量子化された所定の値を出力する工程と、を備え、
前記Ｉデータおよび前記Ｑデータは所定のベクトルを形成しており、
前記ベクトル引き算工程は、入力されたパラレルデータのなすベクトルから前記演算回路の出力ベクトルおよび／または前記各ベクトル積分の出力ベクトルを引き算したパラレルデータを出力する工程を有し、
前記ベクトル積分工程は、入力された前記パラレルデータで構成されるベクトルを積分する工程を有する、データ変換方法。
【発明の詳細な説明】
【技術分野】
【０００１】
携帯電話、無線ＬＡＮなどの無線機器に用いられる、データ変換器、信号発生器、それを用いた送信機、通信機器、およびデータ変換方法に関する。
【背景技術】
【０００２】
従来の送信回路（例えば非特許文献１参照。）の一例を図２７に示す。図２７でデータ生成器５００１の２つの出力端子からはそれぞれ、Ｉデータ（in-phasedata)、Ｑデータ(quadrature-phase data)が出力される。これらのデータは変調器５００２に入力され変調される。変調器５００２からの出力は増幅器５００３により増幅され、アンテナ５００４から放射される。
【非特許文献１】Ｂ．Ｒａｚａｖｉ著「ＲＦ Ｍｉｃｒｏ ｅｌｅｃｔｒｏｎｉｃｓ」Ｐｒｅｎｔｉｃｅ−Ｈａｌｌ ＰＴＲ、１９９８年（ｐ．１５３，Ｆｉｇ．５．３９）
【発明の開示】
【発明が解決しようとする課題】
【０００３】
しかしながら、図２７の送信回路においては、アンテナ５００４から放射すべき信号が包絡線の変動するものであるため、このような信号を劣化させないためには増幅器５００３には線形性が求められる。増幅器５００３で線形性を確保しようとすると飽和出力より十分小さい線形領域で増幅器５００３を動作させなければならず、消費電力が大きくなってしまう。
【０００４】
図２８を用いて具体的に説明する。図２８は増幅器５００３の入力電力に対する出力電力と、効率を示すグラフである。増幅器５００３の効率を高くするためには、入力電力および出力電力が大きい方が良い。すなわち、入力電力がＰｉｎ２のとき出力電力はＰｏｕｔ２であり、このときの効率はη２となる。しかし、このような動作点では、包絡線が変動するような信号を入力すると、信号が歪んでしまうため、実際には使用できない。そこで、歪みを低減するためには入力電力および出力電力を小さくする必要がある。このとき効率は低くなってしまう。すなわち、入力電力Ｐｉｎ１のとき出力電力Ｐｏｕｔ１、効率η１である。
本発明は、増幅器の非線形性の影響を抑制することができる、効率が高い、データ変換器、信号発生器、送信機、通信機器、データ変換方法を提供することを目的とする。
【課題を解決するための手段】
【０００５】
上記課題を解決するために、第１の本発明は、ＩデータおよびＱデータを有するパラレルデータが入力されるパラレルデータ入力端子と、
前記パラレルデータ入力端子に接続された演算回路と、
前記演算回路の出力側に接続された第１ベクトル量子化器と、
前記第１ベクトル量子化器の出力側に接続された出力端子と、を備え、
前記Ｉデータおよび前記Ｑデータは所定のベクトルを形成しており、
前記演算回路は、第１入力端子および第２入力端子を有する、第１ベクトル引き算器と、  前記第１ベクトル引き算器の出力側に接続されたベクトル積分器とを備える単位回路が、ｎ（ｎは自然数）個接続されたものであり、
前記出力端子の出力および／または前記各ベクトル積分器の出力は、前記各単位回路の第１ベクトル引き算器の第２入力端子に入力され、
前記パラレルデータ入力端子は、第一番目の単位回路の第１ベクトル引き算器の第１入力端子に接続され、
前記単位回路どうしは、ベクトル積分器の出力端子と第１ベクトル引き算器の第１入力端子とが接続され、
前記第１ベクトル引き算器は、前記第1入力端子から入力されたパラレルデータのなすベクトルから前記第2入力端子に入力されたパラレルデータのなすベクトルを引き算したパラレルデータを出力し、
前記ベクトル積分器は、入力された前記パラレルデータで構成されるベクトルを積分し、
前記第１ベクトル量子化器は、入力されたベクトルの少なくとも大きさに関して量子化された所定の値を出力する、データ変換器である。
【０００６】
第２の本発明は、前記第１ベクトル量子化器は、入力されるベクトルと同じ位相のベクトルを出力する、第１の本発明のデータ変換器である。
【０００７】
第３の本発明は、前記第１ベクトル量子化器へ入力されたベクトルの大きさが所定の閾値以上のときは、前記第１ベクトル量子化器は、その大きさが前記所定の閾値であり、その位相が前記入力されたベクトルと等しいベクトルを出力し、
前記第１ベクトル量子化器へ入力されたベクトルの大きさが所定の閾値より小さいときは、前記第１ベクトル量子化器は、ゼロベクトルを出力する、第１の本発明のデータ変換器である。
【０００８】
第４の本発明は、前記第１ベクトル量子化器は、ベクトルの大きさ、位相の両方に関して量子化する、第１の本発明のデータ変換器である。
【０００９】
第５の本発明は、所定のベクトルを有するパラレルデータが入力されるパラレルデータ入力端子と、
第１入力端子および第２入力端子を有し、前記パラレルデータ入力端子に前記第1入力  端子が接続された第１ベクトル引き算器と、
前記第１ベクトル引き算器の出力側に接続された第２ベクトル量子化器と、
前記第２ベクトル量子化器の出力側に接続された出力端子とを具備し、
前記第２ベクトル量子化器は、入力されたベクトルの少なくとも大きさに関して量子化された所定の値を出力し、
前記量子化された所定の値は前記第１ベクトル引き算器の第２入力端子へ入力され、
前記第１ベクトル引き算器は、前記第１入力端子に入力された前記パラレルデータのなすベクトルから前記第２入力端子に入力されたパラレルデータのなすベクトルを引き算したパラレルデータを出力する、データ変換器である。
【００１０】
第６の本発明は、前記第２ベクトル量子化器は、入力されるベクトルと同じ位相のベクトルを出力する、第５の本発明のデータ変換器である。
【００１１】
第７の本発明は、前記第２ベクトル量子化器は、ベクトルの大きさ、位相の両方に関して量子化する、第５の本発明のデータ変換器である。
【００１２】
第８の本発明は、第１入力端子および第２入力端子を有し、前記第２ベクトル量子化器の出力側に前記第１入力端子が接続された第２ベクトル引き算器をさらに備え、
前記第１ベクトル引き算器の出力は前記第２ベクトル引き算器の第２入力端子にも接続され、
前記第２ベクトル引き算器は、前記第２ベクトル引き算器の第１入力端子に入力されたパラレルデータのなすベクトルから前記第２ベクトル引き算器の第２入力端子に入力されたパラレルデータのなすベクトルを引き算したパラレルデータを出力し、
前記第２ベクトル量子化器の出力が、前記第２ベクトル引き算器を介して前記第１ベクトル引き算器の第２入力端子に入力される、第５の本発明のデータ変換器である。
【００１３】
第９の本発明は、前記第１ベクトル引き算器は、第１データが入力される第１入力端子および第２入力端子を有する第１スカラー引き算器と、前記第１データと直交する関係にある第２データが入力される第１入力端子および第２入力端子を有する第２スカラー引き算器と、を有し、
前記ベクトル積分器は、前記第１スカラー引き算器の出力に接続された第１スカラー積分器と、前記第２スカラー引き算器の出力に接続された第２スカラー積分器と、を有し、
前記第１ベクトル量子化器は、前記第１スカラー積分器の出力、および前記第２スカラー積分器の出力が直交座標系のデータとしてそれぞれ入力され、前記入力された直交座標系のデータを極座標系のデータに変換し、前記極座標系のデータを振幅データおよび位相データとして出力する第１座標変換器と、前記第１座標変換器から出力される少なくとも振幅データを量子化する第１スカラー量子化器と、前記第１スカラー量子化器の出力側および／または前記第１座標変換器の出力側に接続され、極座標系のデータとして、前記第１スカラー量子化器および／または前記第１座標変換器から出力された、振幅データおよび位相データから、直交座標系のデータとして、前記第１データに対応する第３データ、および前記第２データに対応する第４データを出力する第２座標変換器と、を有し、
前記第１スカラー量子化器は、前記第１座標変換器の出力側に接続され、所定の値として量子化された、少なくとも振幅データを出力し、
前記出力端子は、前記第２座標変換器に接続され、前記第３データを出力する第１出力端子と、前記第２座標変換器に接続され、前記第４データを出力する第２出力端子と、を有し、
前記第３データまたは前記各第１スカラー積分器の出力のうちの少なくともいずれかが前記各第１スカラー引き算器のうちの少なくともいずれかの第２入力端子に入力され、前記第４データまたは前記各第２スカラー積分器の出力のうちの少なくともいずれかが前記第２スカラー引き算器のうちの少なくともいずれかの第２入力端子に入力される、第１の本発明のデータ変換器である。
【００１４】
第１０の本発明は、前記ｎは１であり、
前記第３データが前記第１スカラー引き算器の第２入力端子に入力され、前記第１スカラー引き算器は、前記第１データから前記第３データを引き算し、前記引き算されたデータが前記第１スカラー積分器に出力され、
前記第４データが前記第２スカラー引き算器の第２入力端子に入力され、前記第２スカラー引き算器は、前記第２データから前記第４データを引き算し、前記引き算されたデータが前記第２スカラー積分器に出力される、第９の本発明のデータ変換器である。
【００１５】
第１１の本発明は、前記第１ベクトル量子化器は、入力されるベクトルと同じ位相のベクトルを出力する、第１０の本発明のデータ変換器である。
【００１６】
第１２の本発明は、前記第１ベクトル量子化器は、前記振幅データを量子化し、かつ前記位相データを量子化する、第１０の本発明のデータ変換器である。
【００１７】
第１３の本発明は、前記第１ベクトル引き算器は、第１データが入力される第１入力端子および第２入力端子を有する第１スカラー引き算器と、前記第１データと直交する関係にある第２データが入力される第１入力端子および第２入力端子を有する第２スカラー引き算器と、を有し、
前記第２ベクトル量子化器は、前記第１スカラー引き算器の出力および前記第２スカラー引き算器の出力が直交座標系のデータとしてそれぞれ入力され、前記入力された直交座標系のデータを極座標系のデータに変換し、前記極座標系のデータを振幅データおよび位相データとして出力する第１座標変換器と、前記第１座標変換器から出力される少なくとも振幅データを量子化する第２スカラー量子化器と、前記第２スカラー量子化器および／または前記第１座標変換器から出力された、振幅データおよび位相データが極座標系のデータから直交座標系のデータに変換されて、前記第１データに対応する第３データ、および前記第２データに対応する第４データを出力する第２座標変換器と、を有し、
前記第２スカラー量子化器は、前記第１座標変換器の出力側に接続され、所定の値として量子化された、少なくとも振幅データを出力し、
前記出力端子は、前記第２座標変換器に接続された、前記第３データを出力する第１出力端子と、前記第２座標変換器に接続され、前記第４データを出力する第２出力端子とを有し、
前記第３データが前記第１スカラー引き算器の第２入力端子に入力され、前記第１スカラー引き算器は、前記第１データから前記第３データを引き算し、前記引き算されたデータが前記第１座標変換器の一方の入力に入力され、
前記第４データが前記第２スカラー引き算器の第２入力端子に入力され、前記第２スカラー引き算器は、前記第２データから前記第４データを引き算し、前記引き算されたデータが前記第１座標変換器の他方の入力に入力される、第５の本発明のデータ変換器である。
【００１８】
第１４の本発明は、前記第２ベクトル量子化器は、入力されるベクトルと同じ位相のベクトルを出力する、第１３の本発明のデータ変換器である。
【００１９】
第１５の本発明は、前記第２ベクトル量子化器は、前記振幅データをベクトルの大きさに関して量子化し、かつ前記位相データをベクトルの位相に関して量子化する、第１３の本発明のデータ変換器である。
【００２０】
第１６の本発明は、前記第１ベクトル引き算器は、第１データが入力される第１入力端子、および第２入力端子を有する第１スカラー引き算器と、前記第１データと直交する関係にある第２データが入力される第１入力端子および第２入力端子を有する第２スカラー引き算器と、を有し、
前記第２ベクトル量子化器は、前記第１スカラー引き算器の出力および前記第２スカラー引き算器の出力が直交座標系のデータとしてそれぞれ入力され、前記入力された直交座標系のデータを極座標系のデータに変換し、前記極座標系のデータを振幅データおよび位相データとして出力する第１座標変換器と、前記第１座標変換器から出力される少なくとも振幅データを量子化する第２スカラー量子化器と、前記第２スカラー量子化器および／または前記第１座標変換器から出力された、振幅データおよび位相データが極座標系のデータから、直交座標系のデータに変換されて、前記第１データに対応する第３データ、および前記第２データに対応する第４データを出力する第２座標変換器と、を有し、
前記第２スカラー量子化器は、前記第１座標変換器の出力側に接続され、所定の値として量子化された、少なくとも振幅データを出力し、
前記第２ベクトル引き算器は、前記第３データがその第１入力端子に入力され、前記第１スカラー引き算器からの出力データがその第２入力端子に入力され、前記第３データから前記第１スカラー引き算器からの出力データが引き算されて第５データとして出力する第３スカラー引き算器と、前記第４データがその第１入力端子に入力され、前記第２スカラー引き算器からの出力データがその第２入力端子に入力され、前記第４データから前記第２スカラー引き算器からの出力データが引き算されて第６データとして出力する第４スカラー引き算器と、を有し、
前記第５データが前記第１スカラー引き算器の第２入力端子に入力され、前記第１スカラー引き算器は、前記第１データから前記第５データを引き算し、前記引き算されたデータが前記第１座標変換器の一方の入力に入力され、
前記第６データが前記第２スカラー引き算器の第２入力端子に入力され、前記第２スカラー引き算器は、前記第２データから前記第６データを引き算し、前記引き算されたデータが前記第１座標変換器の他方の入力に入力される、第８の本発明のデータ変換器である。
【００２１】
第１７の本発明は、前記第２ベクトル量子化器は、入力されるベクトルと同じ位相のベクトルを出力する、第１６の本発明のデータ変換器である。
【００２２】
第１８の本発明は、前記第２ベクトル量子化器は、前記振幅データをベクトルの大きさに関して量子化し、かつ前記位相データをベクトルの位相に関して量子化する、第１６の本発明のデータ変換器である。
【００２３】
第１９の本発明は、前記第１ベクトル量子化器は、ｎ個の閾値を有しており、
前記第１ベクトル量子化器への入力ベクトルの大きさが、前記ｎ個の閾値のうち、最も大きい閾値より大きいときは、その大きさが前記最も大きい閾値の大きさで、その位相が前記入力ベクトルと等しいベクトルを出力し、
前記第１ベクトル量子化器への入力ベクトルの大きさが、前記ｎ個の閾値のうち、最も小さい閾値より小さいときは、ゼロベクトルを出力し、
前記第１ベクトル量子化器への入力ベクトルの大きさが、前記ｎ個の閾値のうち、最も小さい閾値と最も大きい閾値との間にあるときは、前記入力ベクトルの大きさより小さい閾値のうち最も大きい閾値をその振幅とし、その位相が前記入力ベクトルと等しいベクトルを出力する、第１または１０の本発明のデータ変換器である。
【００２４】
第２０の本発明は、前記第２ベクトル量子化器は、所定の振幅を有し、位相が前記入力ベクトルと等しいベクトルを出力する、第５または８の本発明のデータ変換器である。
【００２５】
第２１の本発明は、前記第２ベクトル量子化器は、入力されるベクトルがａ、ｂ（ａ、ｂは負でない実数、ａ＜ｂ）の中間値よりも小さい場合は、ａを出力し、前記中間値以上のときはｂを出力する、第５または８の本発明のデータ変換器である。
【００２６】
第２２の本発明は、第１または５の本発明のデータ変換器と、
前記データ変換器からの出力を直交変調する直交変調部と、を備える信号発生器である。
【００２７】
第２３の本発明は、前記データ変換器がデジタル信号処理で実現されている、第２２の本発明の信号発生器である。
【００２８】
第２４の本発明は、第２２の本発明の信号発生器と、
前記信号発生器の直交変調部に直接または間接的に接続された増幅器と、
前記増幅器に接続されたバンドパスフィルタと、
前記バンドパスフィルタに直接または間接的に接続されたアンテナとを備える、送信機である。
【００２９】
第２５の本発明は、前記データ変換器の出力側および前記直交変調部の入力側の間に設置され、前記データ変換器から出力される信号をローパスフィルタリングして前記直交変調部に伝達するためのローパスフィルタをさらに備える、第２４の本発明の送信機である。
【００３０】
第２６の本発明は、前記送信機から出力する変調波の種類に応じて、前記所定の値が制御される、第２４の本発明の送信機である。
【００３１】
第２７の本発明は、出力される信号の周波数に応じて、前記バンドパスフィルタの通過周波数が制御される、第２４の本発明の送信機である。
【００３２】
第２８の本発明は、前記データ変換器は、前記増幅器の非線形性を補償するデータを発生させる、第２４の本発明の送信機である。
【００３３】
第２９の本発明は、パラレルデータを作成するためのデータ生成部と、
前記データ生成部に接続された第１または５の本発明のデータ変換器と、
前記データ変換器に接続された第１変調器と、
前記第１変調器に接続された第１増幅器と、
前記データ生成部に一方の入力側が接続されている第３ベクトル引き算器と、
前記第３ベクトル引き算器の出力側に接続された第２の変調器と、
前記第２の変調器に接続された第２の増幅器と、
前記第１の増幅器の出力側、および前記第２の増幅器の出力側がそれぞれ入力として接続され、前記第１の増幅器の出力および前記第２の増幅器の出力を合成して前記合成された信号を出力する合成器と、
前記合成器の出力側に接続されたアンテナとを備え、
前記データ変換器の出力は前記第３ベクトル引き算器のもう一方の入力側へも接続されており、
前記第３ベクトル引き算器は、前記データ変換器により変換されたパラレルデータから、前記データ生成器で生成されたパラレルデータを引くことにより、量子化雑音データを出力し、
前記合成は、前記量子化雑音データに対して、実質上等振幅、逆位相でなされる、送信機である。
【００３４】
第３０の本発明は、第２５の本発明の送信機と、信号を受信するための受信機と、信号を送信および／または受信するためのアンテナとを備える通信機器である。
【００３５】
第３１の本発明は、ＩデータおよびＱデータを有するパラレルデータをパラレルデータ入力端子に入力する工程と、
前記パラレルデータ入力端子に接続された演算回路において、ベクトル引き算工程とベクトル積分工程との演算工程をｎ（ｎは自然数）回行う工程と、
前記演算回路から出力されたベクトルの少なくとも大きさに関して量子化された所定の値を出力する工程と、を備え、
前記Ｉデータおよび前記Ｑデータは所定のベクトルを形成しており、
前記ベクトル引き算工程は、入力されたパラレルデータのなすベクトルから前記演算回路の出力ベクトルおよび／または前記各ベクトル積分の出力ベクトルを引き算したパラレルデータを出力する工程を有し、
前記ベクトル積分工程は、入力された前記パラレルデータで構成されるベクトルを積分する工程を有する、データ変換方法である。
【発明の効果】
【００３６】
本発明によれば、増幅器の非線形性の影響を抑制することができる、効率が高い、データ変換器、信号発生器、送信機、通信機器、データ変換方法を提供することができる。
【発明を実施するための最良の形態】
【００３７】
（実施の形態１）
本発明の実施の形態１について図１を用いて説明する。図１において、本発明のパラレルデータ入力端子の一例である入力端子１０１に、本発明の第１ベクトル引き算器の一例であるベクトル引き算器１０２の第１入力端子８０１が接続され、ベクトル引き算器１０２の出力に、本発明のベクトル積分器の一例であるベクトル積分器１０３が接続され、ベクトル積分器１０３の出力に、本発明の第１ベクトル量子化器の一例であるベクトル量子化器１０４が接続され、その出力が出力端子１０５に接続されている。また、ベクトル量子化器１０４の出力は、ベクトル引き算器１０２の、第２入力端子８０２に入力される。
【００３８】
次に動作を説明する。入力端子１０１にはパラレルデータが入力される。ここでは、これらをＩデータ(in-phase data)、Ｑデータ(quadrature-phasedata)とする。Ｉデータ、Ｑデータはベクトル引き算器１０２を経由して、ベクトル積分器１０３に入力される。ベクトル積分器１０３ではＩデータ、Ｑデータのなすベクトルをベクトル演算で積分していく。この積分結果はベクトル量子化器１０４に入力される。
【００３９】
まず、ベクトル量子化器１０４がベクトルの大きさに関して量子化する場合について述べる。０＜ａ（ａは実数）としたとき、ベクトル量子化器１０４への入力ベクトルの大きさによって、０またはａの大きさを持ったベクトルを出力する。量子化の方法として例えば、入力ベクトルの大きさが閾値であるａより小さいときは、出力ベクトルの大きさを０とし（図２（ａ）参照）、ａより小さくないときは出力ベクトルの大きさをａとする（図２（ｂ）参照）。この出力ベクトルの位相については特に制限はないが、ベクトル量子化器１０４への入力ベクトルの位相と同じ位相とするのが、典型的な例として考えられる。この出力は、出力端子１０５から出力され、同時にベクトル引き算器１０２で引き算処理される。ベクトル引き算器では具体的には、入力端子１０１から入力されたベクトルから、ベクトル量子化器１０４から出力されたベクトルを、ベクトル演算で引く、という動作を行なう。変調波をπ／４シフトＱＰＳＫとしてルートレイズドコサインフィルタをかけたときの入力端子１０１に入力されるパラレルデータＩ，Ｑの関係を図示すると、横軸をＩデータ、縦軸をＱデータとしたとき、図３のようになり、出力端子１０５から出力されるパラレルデータをＩ’データ、Ｑ’データとすると、それらの関係を図示すると横軸をＩ’データ、縦軸をＱ’データとしたとき、図４のようになる。
【００４０】
これらのデータ変換を具現化する回路の一例について図５を用いて説明する。図５において、入力端子４０１に本発明の第１スカラー引き算器の一例であるスカラー引き算器４０３の第１入力端子８１１が接続され、入力端子４０２に本発明の第２スカラー引き算器の一例であるスカラー引き算器４０４の第１入力端子８１３が接続されている。スカラー引き算器４０３、４０４の出力には、本発明の第１スカラー積分器の一例であるスカラー積分器４０５、本発明の第２スカラー積分器の一例であるスカラー積分器４０６がそれぞれ接続されている。スカラー積分器４０５、４０６の出力は、本発明の第１座標変換器の一例である座標変換器４０７の２つの入力に、それぞれ直交座標系のデータとして入力されている。座標変換器４０７の一方の出力に本発明の第１スカラー量子化器の一例としてスカラー量子化器４０８が接続されている。スカラー量子化器４０８の出力と座標変換器４０７のもう一方の出力が、本発明の第２座標変換器の一例である座標変換器４０９の２つの入力にそれぞれ接続されている。座標変換器４０９の２つの出力は、スカラー引き算器４０３の第２入力端子８１２、およびスカラー引き算器４０４の第２入力端子８１４に接続されている。また、座標変換器４０９の2つの出力は、それぞれ本発明の第１出力端子の一例である出力端子４１０、および本発明の第２出力端子の一例である出力端子４１１に接続されている。ここで、本発明の第１ベクトル量子化器は、座標変換器４０７、スカラー量子化器４０８、および座標変換器４０９に対応する。
【００４１】
次に動作を説明する。入力端子４０１、４０２に本発明の第１データの一例であるＩデータ、およびＩデータに直交する本発明の第２データの一例であるＱデータがそれぞれ入力される。入力端子４０１に入力されたＩデータは、スカラー引き算器４０３を経由してスカラー積分器４０５で積分され、座標変換器４０７へ入力される。入力端子４０２に入力されたＱデータも同様の処理をされ、座標変換器４０７のもう一方の入力に入力される。座標変換器４０７では直交座標系から極座標系（振幅、位相）への変換が行われる。すなわちスカラー積分器４０５、４０６の出力をそれぞれＩ２、Ｑ２とすると、このＩ２、Ｑ２というデータを（数１）および（数２）に基づきＭ、θというデータに変換する。なおここでＭはＩ２、Ｑ２の大きさ（振幅）であり、
（数１）
Ｍ＝（Ｉ２２＋Ｑ２２）１／２
θはＩ２、Ｑ２のなす角度であり、
（数２）
θ＝Ａｒｃｔａｎ（Ｑ２／Ｉ２）
と表される。
【００４２】
座標変換器４０７から出力された振幅データはスカラー量子化器４０８へ入力される。スカラー量子化器４０８は、入力される信号を量子化する。具体的には、例えば、スカラー量子化器４０８では入力信号がある所定の値ａ以上のときは、本発明の所定の値の一例であるａを出力し、それ以外は０を出力する。スカラー量子化器４０８からの出力は座標変換器４０９へ入力される。また座標変換器４０７から出力される位相データは座標変換器４０９のもう一方の入力に入力される。座標変換器４０９では極座標系のデータを直交座標系のデータに変換する。すなわち入力された振幅データおよび位相データを本発明の第３データの一例であるＩ’データ、本発明の第４データの一例であるＱ’データ、という直交座標系のデータに変換する。座標変換器４０９からの出力は、スカラー引き算器４０３、４０４へフィードバックされる。すなわち、Ｉ’データがスカラー引き算器４０３の第２入力端子８１２に入力され、Ｑ’データはスカラー引き算器４０３の第２入力端子８１４に入力される。スカラー引き算器４０３では、入力端子４０１から入力されたデータＩから座標変換器４０９から出力されたＩ’データを引くという演算を行う。スカラー引き算器４０４でも同様に、入力端子４０２から入力されたデータＱから座標変換器４０９から出力されたデータＱ’を引く演算を行なう。
【００４３】
座標変換器４０９から出力された２つのデータＩ’、Ｑ’が出力端子４１０、４１１からそれぞれ出力される。ここで出力端子４１０、４１１から出力される2つのデータＩ’、Ｑ’はこれらのなすベクトルの大きさがａまたは０であり、高効率な送信機を実現するのに適した信号となる。
【００４４】
また、上記は２値で量子化する例を示したが、何値で量子化してもよく、例えば、０、ａ、ｂ（０＜ａ＜ｂ、ａ、ｂは実数）の３値で量子化しても構わない。この場合、入力がｂ以上のときはスカラー量子化器４０８はｂを出力し、入力がａ以上でｂ未満のときはスカラー量子化器４０８はａを出力し、入力がａ未満のときはスカラー量子化器４０８は０を出力する。
【００４５】
また、位相に関しても量子化を行なってもよい。例えば上述ではベクトル量子化器１０４からの出力ベクトルからの位相を入力ベクトルからの位相と同じとする例を示したが、出力ベクトルの位相を入力ベクトルの位相に応じて、何点かに量子化してもよい。例えば、位相を４５°、１３５°、−４５°、−１３５°の４点で量子化するとする。量子化する基準としては、例えば、ベクトル量子化器に入力されるベクトルの位相の最も近い位相点で量子化すればよい。すなわち、入力ベクトルの位相が１０°のときは、４５°の位相を出力し、入力ベクトルの位相が１２０°のときは、１３５°の位相を出力する。この操作をしたときの出力をＩ’データ、Ｑ’データとすると、この場合のＩ’データおよびＱ’データの関係は、横軸をＩ’データ、縦軸をＱ’データとすると、図６に示すようになる。
【００４６】
また、位相に関する量子化をも行なう場合は、図５で座標変換器４０７から出力された位相をスカラー量子化器（図示せず）に入力し、位相の量子化を行なった後、座標変換器４０９へ入力すればよい。その場合、本発明の第１ベクトル量子化器には、位相を量子化するスカラー量子化器も含まれる。あるいは、座標変換器４０７から出力された位相もスカラー量子化器４０８に入力され、スカラー量子化器４０８が振幅および位相の両方を量子化してもよい。
【００４７】
次に、この高効率送信用データ変換器を用いて送信機を構成した場合について図７を用いて説明する。データ生成部７０１でＩ、Ｑデータが生成される。高効率送信用データ変換器７０２は上述したようにＩ、ＱデータをＩ’、Ｑ’データに変換する。このＩ’、Ｑ’データは、変調器７０３に入力され、変調される。変調器７０３から出力された信号は、本発明の増幅器の一例である増幅器７０４で増幅され、本発明のバンドパスフィルタの一例であるバンドパスフィルタ７０５で量子化雑音を除去した後、本発明のアンテナの一例であるアンテナ７０６から送信される。ここで高効率送信用データ変換器７０２から出力されるＩ’、Ｑ’データは大きさがａまたは０なので、変調器７０３からの出力は図８のように、定包絡線の信号をオン、オフと切り替えたものとなる。したがって増幅器７０４が非線形であっても、相互変調歪みは発生しない。したがって、増幅器７０４には線形性は求められず、増幅特性の飽和点付近で動作できるため、高効率動作が可能となる。
【００４８】
なおここでは高効率送信用データ変換器から出力される信号ベクトル大きさの振幅をａまたは０の２値として説明を行ったが、多値としても増幅器に求められる線形性は従来と比べて緩和されるため高効率化が可能となる。すなわち、従来技術においては、入力電力が連続で変化するため、広い電力範囲にわたって線形性が求められてきた（図９（ａ））。本発明のデータ変換器によれば、データ変換器の信号ベクトルの振幅を２値とした場合、増幅器の線形性は要求されなくなる。さらに、その振幅を多値とした場合、取り得る入力電力は、図９（ｃ）に示すように離散的となるため、それらの入力電力値が図９（ｂ）、（ｃ）の点線で示すように、振幅の離散値に関して線形性を保っていれば、増幅器の連続する線形性は要求されない。
【００４９】
この理由を具体的に説明するため、元のＩデータ、Ｑデータからなる振幅が大きく変動する場合を考える。例えば２０ｄＢの範囲で変動するとする。この場合、増幅器として２０ｄＢの範囲で線形性を確保しなければならない。一方、振幅を例えば、０、１、２の３値で量子化すると、増幅器が動作する１のときと２のときとでは６ｄＢ変化するので、増幅器としては６ｄＢ差のポイントで線形性を補償すればよいことになる（図９（ｂ）参照）。
【００５０】
また増幅器１００５の非線形性を補償することも考えられる。一例を図１０に示す。図７と異なる点は歪み補償回路１００４が増幅器１００５の前段に付加されていることである。歪み補償回路１００４は能動素子を含んだ回路であり、増幅器１００５とは逆の歪み特性を有する回路である。すなわち、歪み補償回路１００４は、増幅器１００５の非線形性を補償するデータを発生させる。したがって、歪み補償回路１００４と増幅器１００５を組み合わせることにより、線形な増幅が可能となる。
【００５１】
もう１つの例を図１１に示す。高効率送信用データ変換器１１０２の後に歪み補償部１１０３が接続されている。歪み補償部１１０３においては、ベースバンド信号をデジタル信号処理することにより、増幅器１１０５の歪みを補償するために増幅器１１０５で生じる歪みの逆特性にあらかじめ信号を歪ませておく。ここでは増幅器１１０５に入力される信号の包絡線の大きさに応じた補償テーブルにより、データを制御する。Ｉ、Ｑの大きさは従来、細かく離散的に分けられ、それに対してテーブルを持たせる必要があったので、大きなテーブルが必要であった。それに対して、図１１のように高効率送信用データ変換器１１０２を用いると、例えば、振幅を０、ａ、２ａの３値で量子化すると、そのうちａ、２ａの２値に対してのみテーブルを持てばよいので、歪み補償用のテーブルを大幅に小さくできる。
【００５２】
また、高効率送信用データ変換器としては、より高次の構成も考えられる。一例としてｎ次の構成を図１２に示す。
【００５３】
すなわち、所定のベクトルを有するパラレルデータの一例としてＩ、Ｑデータが入力される入力端子１０６と、入力端子１０６に接続された演算回路と、上記演算回路に接続された本発明の第１ベクトル量子化器の一例である第１ベクトル量子化器と、ベクトル量子化器１１１に接続された出力端子１１４と、を備え、上記演算回路は、第１入力端子８０１および第２入力端子８０２を有する、ベクトル引き算器１０７と、ベクトル引き算器１０７の出力側に接続されたベクトル積分器１０８との単位回路が、ｎ個接続されたものであり、出力端子１１４の出力は、上記各単位回路のベクトル引き算器１０７の全ての第２入力端子８０２に入力され、入力端子１０６は、第一番目の単位回路のベクトル引き算器１０７の第１入力端子に接続され、上記単位回路どうしは、ベクトル積分器１０８の出力端子とベクトル引き算器１０７の第１入力端子とが接続されている構成を有していればよい。このような高次の具体的な構成の一例を図３０に示す。このように高次の構成を適用すれば、通常のデルタシグマ変調器（例えば、Ｓ．Ｒ．Ｎｏｒｓｗｏｒｔｈｙ，Ｒ．Ｓｃｈｒｅｉｔｅｒ，Ｇ．Ｃ．Ｔｅｍｅｓ著「Ｄｅｌｔａ−ＳｉｇｍａＤａｔａ Ｃｏｎｖｅｒｔｅｒｓ Ｔｈｅｏｒｙ， Ｄｅｓｉｇｎ, ａｎｄ Ｓｉｍｕｌａｔｉｏｎ」（米国）ＩＥＥＥ Ｐｒｅｓｓ，１９９７年 ｐ．１４参照）と同様により所望波近傍の雑音が低減できる。
【００５４】
典型的には、データ変換器までをデジタル信号処理で実現し、ＤＡ変換した後、変調器で変調を行う。さらに、変調器出力までをデジタル信号処理によって実現すれば、アナログ部品点数を低減できる。
【００５５】
また、複数の変調波を送信するようなマルチモードの送信機の場合、変調の種類によって、所定値ａを変更することにより、雑音レベルをそれぞれで最小化することができる。すなわち、変調によりピークが大きい場合は、ａの値を大きくし、ピークが小さい場合は、ａの値を小さくする。
【００５６】
また、複数の周波数の信号を送信するような送信機の場合、送信周波数によって増幅器の出力に接続されたバンドパスフィルタの帯域（通過周波数）を変化させることにより、複数の周波数の送信に対応できる。
【００５７】
なお、図１２に示す構成においては、ベクトル量子化器１１１の出力が各引き算器に入力されるとしたが、各積分器の出力が各引き算器に入力される構成であってもよい。例えば、図１３に示すようにベクトル１１０の出力が増幅器１１５により、スカラー倍に増幅または減衰され、てベクトル引き算器１０９に入力されてもよいし、ベクトル量子化器１１１の出力がフィードバックとしてベクトル引き算器１０７、１０９のいずれかまたは両方に入力されてもよい。
【００５８】
また、図７に示す送信機において、高効率送信用データ変換器７０２と変調器７０３との間に、図２９に示すようにローパスフィルタ７０８を挿入した構成も考えられる。量子化雑音は広い周波数にわたるので、変調器７０３に入力されるまでに帯域制限して不要な信号を抑制しておけば、増幅器７０４の後のバンドパスフィルタ７０５の仕様を緩和することができる。この場合、高効率送信用データ変換器７０２から出力されるデータのうち、直流からクロック周波数の半分までは確保する必要があるので、ローパスフィルタ７０８のカットオフ周波数は、これより高ければよい。
【００５９】
また、本実施の形態においては、遅延要素について説明していないが、各構成要素間に遅延要素が挿入されてもよい。例えば、図１においては、ベクトル引き算器１０２からベクトル積分器１０３までの経路、ベクトル積分器１０３からベクトル量子化器１０４までの経路、およびベクトル量子化器１０４からベクトル引き算器１０２までの経路、のいずれかの経路に挿入される場合が考えられる。
（実施の形態２）
本発明の実施の形態２について、図１４を用いて説明する。図１４において、本発明のパラレルデータ入力端子の別の一例である入力端子２０１に本発明の第１ベクトル引き算器の別の一例であるベクトル引き算器２０２の第１入力端子８０１が接続され、ベクトル引き算器２０２の出力が本発明の第２ベクトル量子化器の一例であるベクトル量子化器２０３に接続されている。ベクトル量子化器２０３の出力は遅延器２０４を介してベクトル引き算器２０２の第２入力端子８０２に接続されている。またベクトル量子化器２０３の出力に出力端子２０５が接続されている。
【００６０】
次に動作を説明する。まず、ベクトル量子化器２０３がベクトルの大きさに関して量子化する場合を考える。入力端子２０１にはパラレルデータが入力される。これをＩデータ、Ｑデータと呼ぶ。このデータはベクトル引き算器２０２を介してベクトル量子化器２０３に入力される。ベクトル量子化器２０３からは所定の振幅ａのベクトルが出力される。このベクトルの位相は、特に制限はないが例えば入力されるパラレルデータの位相と等しくなるようにする。ベクトル量子化器２０３からの出力は遅延器２０４で１または数クロック遅延された後、ベクトル引き算器２０２の第２入力端子８０２に入力される。遅延量は例えば１クロックとする。ベクトル引き算器２０２では入力端子２０１から入力されるデータを遅延器２０４から入力されるデータで引く。ベクトル量子化器２０３の出力には出力端子２０５が接続され、パラレルデータが出力される。
【００６１】
入力端子２０１に入力されるパラレルデータＩ，Ｑの関係を図示すると、横軸をＩデータ、縦軸をＱデータとしたとき、図１５のようになり、出力端子２０５から出力されるパラレルデータをＩ’データ、Ｑ’データとすると、それらの関係を図示すると横軸をＩ’データ、縦軸をＱ’データとしたとき、図１６のようになる。
【００６２】
これらのデータ変換を具現化する回路の一例を図１７を用いて説明する。図１７において、入力端子５０１、５０２にそれぞれ、本発明の第１スカラー引き算器の一例であるスカラー引き算器５０３の第１入力端子８２１、本発明の第２スカラー引き算器の一例であるスカラー引き算器５０４の第１入力端子８２３が接続されている。スカラー引き算器５０３、５０４の出力は、直交座標系のデータとして、本発明の第１座標変換器の一例である座標変換器５０５の２つの入力に接続されている。本発明の第２スカラー量子化器の一例であるスカラー量子化器５０６の出力と座標変換器５０５の出力が、本発明の第２座標変換器の一例である座標変換器５０７の２つの入力に接続されている。座標変換器５０７の２つの出力は、遅延器５０８、および遅延器５０９を介して、スカラー引き算器５０３の第２入力端子８２２に、およびスカラー引き算器５０４の第２入力端子８２４に接続されている。また、座標変換器５０７の2つの出力は、本発明の第１出力端子の一例である出力端子５１０、および本発明の第２出力端子の一例である出力端子５１１に接続されている。ここで、本発明の第２ベクトル量子化器は、座標変換器５０５、スカラー量子化器５０６、座標変換器５０７に対応する。
【００６３】
次に動作を説明する。入力端子５０１、５０２にＩデータ、Ｑデータがそれぞれ入力される。入力端子５０１に入力されたＩデータは、スカラー引き算器５０３を経由して、座標変換器５０５へ入力される。入力端子５０２に入力されたＱデータも同様の処理をされ、座標変換器５０５のもう一方の入力に入力される。
【００６４】
座標変換器５０５では直交座標系から極座標系（振幅、位相）への変換が行われる。すなわちスカラー引き算器５０３、５０４の出力をそれぞれＩ２、Ｑ２とすると、このＩ２、Ｑ２というデータを（数３）および（数４）に基づきＭ、θというデータに変換する。なおここでＭはＩ２、Ｑ２の大きさ（振幅）であり、
（数３）
Ｍ＝（Ｉ２２＋Ｑ２２）１／２
θはＩ２、Ｑ２のなす角度であり、
（数４）
θ＝Ａｒｃｔａｎ（Ｑ２／Ｉ２）
と表される。
【００６５】
座標変換器５０５からは振幅データＭと位相データθが出力される。ベクトル量子化器５０６からは一定値ａを出力する。スカラー量子化器５０６からの出力は座標変換器５０７へ入力される。また座標変換器５０５から出力される位相データは座標変換器５０７のもう一方の入力に入力される。座標変換器５０７では極座標系のデータを直交座標系のデータに変換する。すなわち入力された振幅データとしての一定値ａ、位相データθを、本発明の第３データの一例であるＩ’データ、および本発明の第４データの一例であるＱ’データという直交座標系のデータに変換する。
【００６６】
座標変換器５０７からの出力は、遅延器５０８、遅延器５０９を介して、スカラー引き算器５０３、５０４へフィードバックされる。
【００６７】
スカラー引き算器５０３では、入力端子５０１から入力されたデータから座標変換器５０７から出力され、遅延されたＩ’データを引くという演算を行う。スカラー引き算器５０４でも同様に入力端子５０２から入力されたデータから座標変換器５０７から出力され、遅延されたＱ’データを引くという演算を行う。座標変換器５０７から出力された２つのデータＩ’、Ｑ’が出力端子５１０、５１１からそれぞれ出力される。
【００６８】
なお、ここでは、１値で量子化する例を示したが、何値で量子化してもよく、例えば、ａ、ｂ（ａ＜ｂ）の２値で量子化しても構わない。この場合、例えばベクトル量子化器２０３に入力されるベクトルの大きさがａとｂの中間値より小さいときは出力ベクトルの大きさをａとし、等しいまたは大きいときはｂとすればよい。
【００６９】
また、位相に関しても量子化を行なってもよい。例えば、上述ではベクトル量子化器２０３からの出力ベクトルの位相を入力ベクトルの位相と同じとする例を示したが、出力ベクトルの位相を入力ベクトルの位相に応じて、何点かに量子化してもよい。例えば位相を４５°、１３５°、−４５°、−１３５°の４点で量子化するとする。量子化する基準としては、例えば、ベクトル量子化器に入力されるベクトルの位相の最も近い位相点で量子化すればよい。すなわち、入力ベクトルの位相が１０°のときは、４５°の位相を出力し、入力ベクトルの位相が、１２０°のときは、１３５°の位相を出力する。この操作をしたときの出力をＩ’データ、Ｑ’データとし、横軸をＩ’データ、縦軸をＱ’データとすると、それらの関係を図示すると図１８のようになる。
【００７０】
また、位相に関する量子化をも行なう場合は、図１７で座標変換器５０５から出力された位相をスカラー量子化器（図示せず）に入力し、位相の量子化を行なった後、座標変換器５０７へ入力すればよい。その場合、本発明の第２ベクトル量子化器には、位相を量子化するスカラー量子化器も含まれる。あるいは、座標変換器５０５から出力された位相もスカラー量子化器５０６に入力され、スカラー量子化器５０６が振幅および位相の両方を量子化してもよい。
【００７１】
このようなデータ変換器を用いて送信機を構成した場合について説明する。構成は実施の形態１と同様で図７のようになる。ただし、出力の時間波形は、振幅が１値で量子化される場合は図１９のようになり、定包絡線の角度変調波となる。したがって、増幅器７０４が非線形であっても、相互変調歪みは発生しない。したがって、増幅器７０４には線形性は求められず、増幅特性の飽和点付近で動作できるため、高効率動作が可能となる。
（実施の形態３）
本発明の実施の形態３について、図２０を用いて説明する。図２０において、本発明のパラレルデータ入力端子の別の一例である入力端子３０１に、本発明の第１ベクトル引き算器の別の一例であるベクトル引き算器３０２の、第１入力端子８３１が接続され、ベクトル引き算器３０２の出力が、本発明の第２べクトル量子化器の別の一例であるベクトル量子化器３０３に接続されている。ベクトル量子化器３０３の出力は、本発明の第２ベクトル引き算器の一例であるベクトル引き算器３０４に接続されている。ベクトル引き算器３０２の出力はベクトル引き算器３０４の、第２入力端子８４２に接続されている。ベクトル引き算器３０４の出力は、遅延器３０５を介してベクトル引き算器３０２の第２入力端子８３２に接続されている。またベクトル量子化器３０３の出力に出力端子３０６が接続されている。
【００７２】
次に動作を説明する。入力端子３０１にはパラレルデータが入力される。これをＩデータ、Ｑデータと呼ぶ。このデータはベクトル引き算器３０２を介してベクトル量子化器３０３に入力される。ベクトル量子化器３０３からは所定の振幅ａのベクトルが出力される。このベクトルの位相は入力されるパラレルデータＩ、Ｑのなす位相と等しくなるようにする。ベクトル量子化器３０３からの出力はベクトル引き算器３０４の第１入力端子８４１に入力される。ベクトル引き算器３０２の出力がベクトル引き算器３０４のもう一方の入力である第２入力端子８４２に入力される。
【００７３】
ベクトル引き算器３０４では、ベクトル量子化器３０３の出力から、ベクトル引き算器３０２の出力を引くという演算を行う。ベクトル引き算器３０４の出力は、遅延器３０５で１クロック遅延された後、ベクトル引き算器３０２のもう一方の入力である第２入力端子８３２に入力される。ベクトル引き算器３０２では入力端子３０１から入力されるデータから、遅延器３０５から出力されたデータを引く。ベクトル量子化器３０３の出力には出力端子３０６が接続され、パラレルデータが出力される。
【００７４】
入力端子３０１に入力されるパラレルデータＩ，Ｑの関係を図示すると、横軸をＩデータ、縦軸をＱデータとしたとき、図２１のようになり、出力端子３０６から出力されるパラレルデータをＩ’データ、Ｑ’データとすると、それらの関係を図示すると横軸をＩ’データ、縦軸をＱ’データとしたとき、図２２のようになる。
【００７５】
このデータ変換を具現化する回路の一例を図２３を用いて説明する。図２３において、入力端子６０１、６０２に、それぞれ、本発明の第１スカラー引き算器の一例であるスカラー引き算器６０３、本発明の第２スカラー引き算器の一例であるスカラー引き算器６０４が接続されている。スカラー引き算器６０３、６０４の出力は、本発明の第１座標変換器の一例である座標変換器６０５の２つの入力に接続されている。本発明の第２スカラー量子化器の別の一例であるスカラー量子化器６０６の出力と座標変換器６０５の位相データの出力が、本発明の第２座標変換器の一例である座標変換器６０７の２つの入力に接続されている。ここで、本発明の第２ベクトル量子化器は、座標変換器６０５、スカラー量子化器６０６、および座標変換器６０７に対応する。
【００７６】
座標変換器６０７の２つの出力は、第３データおよび第４データとして、本発明の第３スカラー引き算器の一例であるスカラー引き算器６０８の第１入力端子８５５、本発明の第４スカラー引き算器の一例であるスカラー引き算器６０９の第１入力端子８５７にそれぞれ接続されている。スカラー引き算器６０３、６０４の出力がスカラー引き算器６０８、６０９のもう一方の入力である、第２入力端子８５６、第２入力端子８５８にそれぞれ入力されている。スカラー引き算器６０８、６０９の出力は、遅延器６１０、遅延器６１１を介して、スカラー引き算器６０３、６０４のもう一方の入力である、第２入力端子８５２、第２入力端子８５４に接続されている。また、座標変換器６０７の出力は、本発明の第１出力端子の一例である出力端子６１２、本発明の第２出力端子の一例である出力端子６１３にそれぞれ接続されている。
【００７７】
次に動作を説明する。入力端子６０１、６０２に、本発明の第１データの一例であるＩデータ、およびＩデータに直交する、本発明の第２データの一例であるＱデータがそれぞれ入力される。入力端子６０１に入力されたＩデータは、スカラー引き算器６０３を経由して、座標変換器６０５へ入力される。入力端子６０２に入力されたＱデータも同様の処理をされ、座標変換器６０５のもう一方の入力に入力される。座標変換器６０５では直交座標系から極座標系（振幅、位相）への変換を行う。すなわちスカラー引き算器６０３、６０４の出力をそれぞれＩ２、Ｑ２とすると、このＩ２、Ｑ２というデータを（数５）および（数６）に基づきＭ、θというデータに変換する。なおここでＭはＩ２、Ｑ２の大きさ（振幅）であり、
（数５）
Ｍ＝（Ｉ２２＋Ｑ２２）１／２
θはＩ２、Ｑ２のなす角度であり、
（数６）
θ＝Ａｒｃｔａｎ（Ｑ２／Ｉ２）
と表される。
【００７８】
座標変換器６０５からは振幅データＭ、位相データθが出力される。スカラー量子化器６０６からは一定値ａを出力する。スカラー量子化器６０６からの出力は座標変換器６０７の一方の入力へ入力される。また座標変換器６０５から出力される位相データは座標変換器６０７のもう一方の入力に入力される。座標変換器６０７では極座標系のデータを直交座標系のデータに変換する。すなわち入力された一定値ａである振幅データ、位相データを、本発明の第３データの一例であるＩ’データ、本発明の第４データの一例であるＱ’という直交座標系のデータに変換する。ここで、本発明の第３、第４データは、本発明の第１、第２データに対応して変換されたデータである。
【００７９】
座標変換器６０７からの出力は、出力端子６１２、６１３に出力されるとともに、スカラー引き算器６０８の第１入力端子８５５、スカラー引き算器６０９の第１入力端子８５７へ入力される。また、スカラー引き算器６０３、６０４の出力がスカラー引き算器６０８、６０９のもう一方の入力である、第２入力端子８５６、第２入力端子８５８に入力される。スカラー引き算器６０８では、座標変換器６０７の出力Ｉ’からスカラー引き算器６０３の出力を引く演算を行う。同様に、スカラー引き算器６０９では座標変換器６０７から出力されたＱ’からスカラー引き算器６０４の出力を引く。スカラー引き算器６０８、６０９の出力である第５データ、第６データは遅延器６１０、６１１で１クロック遅延された後、スカラー引き算器６０３、６０４のもう一方の入力である第２入力端子８５２、８５４にそれぞれ入力される。スカラー引き算器６０３では入力端子６０１から入力された信号から遅延器６１０の出力を引くという演算を行う。スカラー引き算器６０４では同様に入力端子６０２から入力された信号から遅延器６１１の出力を引くという演算を行う。
【００８０】
また、ここでは、１値で量子化する例を示したが、何値で量子化してもよく、例えば、ａ、ｂ（ａ＜ｂ）の２値で量子化しても構わない。この場合、例えばベクトル量子化器３０３に入力されるベクトルの大きさがａとｂの中間値より小さいときは出力ベクトルの大きさをａとし、大きいときはｂとすればよい。
【００８１】
また、位相に関しても量子化を行なってもよい。例えば、上述ではベクトル量子化器３０３からの出力ベクトルの位相を入力ベクトルの位相と同じとする例を示したが、出力ベクトルの位相を入力ベクトルの位相に応じて、何点かに量子化してもよい。例えば位相を４５°、１３５°、−４５°、−１３５°で量子化する。量子化する基準としては、ベクトル量子化器に入力されるベクトルの位相の最も近い位相点で量子化すればよい。すなわち、入力ベクトルの位相が１０°のときは、４５°の位相を出力し、入力ベクトルの位相が、１２０°のときは、１３５°の位相を出力する。この操作をしたときの出力をＩ’データ、Ｑ’データとし、横軸をＩ’データ、縦軸をＱ’データとすると、それらの関係を図示すると図２４のようになる。
【００８２】
また、位相に関する量子化をも行なう場合は、図２３で座標変換器６０５から出力された位相をスカラー量子化器（図示せず）に入力し、位相の量子化を行なった後、座標変換器６０７へ入力すればよい。その場合、本発明の第２ベクトル量子化器には、位相を量子化するスカラー量子化器も含まれる。あるいは、座標変換器６０５から出力された位相もスカラー量子化器６０６に入力され、スカラー量子化器６０６が振幅および位相の両方を量子化してもよい。
【００８３】
このようなデータ変換器を用いて送信機を構成した場合について説明する。構成は実施の形態１と同様で図７のようになる。ただし、出力の時間波形は図１９のようになり、定包絡線の角度変調波となる。したがって、増幅器７０４が非線形であっても、相互変調歪みは発生しない。したがって、増幅器７０４には線形性は求められず、増幅特性の飽和点付近で動作できるため、高効率動作が可能となる。
（実施の形態４）
本実施の形態４について図２５を用いて説明する。図２５に示す送信機は、パラレルデータを作成するためのデータ生成部１２０１と、データ生成部１２０１に接続された、実施の形態１〜３のデータ変換器１２０２と、データ変換器１２０２に接続された第１変調器１２０４と、第１変調器１２０４に接続された第１増幅器１２０６と、データ生成部１２０１に一方の入力側が接続されている本発明の第３ベクトル引き算器の一例であるベクトル引き算器１２０３と、ベクトル引き算器１２０３の出力側に接続された第２変調器１２０５と、第２変調器１２０５に接続された第２増幅器１２０７と、第１増幅器１２０６の出力側、および第２増幅器１２０７の出力側がそれぞれ入力として接続され、第１増幅器１２０６の出力および第２増幅器１２０７の出力を合成して、合成された信号を出力する合成器１２０８と、合成器１２０８の出力側に接続されたアンテナ１２０９とを備えている。そして、データ変換器１２０２の出力はベクトル引き算器１２０３のもう一方の入力側へも接続されており、ベクトル引き算器１２０３は、データ変換器１２０２により変換されたパラレルデータから、データ生成器１２０１で生成されたパラレルデータを引くことにより、量子化雑音データを出力する。そして、合成は、量子化雑音データに対して、実質上等振幅、逆位相でなされる。
【００８４】
図２５において、本発明のデータ生成部の一例であるデータ生成器１２０１で生成されたデータ（Ｉ、Ｑとする）は、高効率送信用データ変換器１２０２によりＩ’、Ｑ’に変換される。このＩ’、Ｑ’には所望信号に量子化雑音成分を含んでおり、この量子化雑音を除去しなければならない。バンドパスフィルタを用いて除去する方法があるが、所望波の近傍の周波数であるため除去が困難であり、サイズも大きくなってしまう。
【００８５】
そこで、ベクトル引き算器１２０３で（Ｉ’、Ｑ’）から（Ｉ、Ｑ）を引くことにより、雑音成分のみを抽出する。この雑音成分を直交変調して増幅し、第１増幅器１２０６の出力信号と合成器１２０８で合成する。このとき、合成を雑音成分が実質上逆位相、すなわち実質上１８０度の位相差となるように制御する。すなわち、データ変換器１２０２から出力される信号に含まれる雑音成分に対して、ベクトル引き算器１２０３から出力された雑音成分が実質上等振幅で、実質上逆位相になるように合成器１２０８によって合成される。
【００８６】
このような構成、動作によって、バンドパスフィルタを用いることなく量子化雑音を除去することができる。ただし、量子化雑音は広帯域に広がっており、全てを除去するのは困難である。したがって、ある帯域の量子化雑音をこの構成で除去し、その外側の量子化雑音についてはバンドパスフィルタで除去する構成が考えられる。この構成では、量子化雑音と所望波の周波数間隔が大きくなるので、小型で低損失なバンドパスフィルタが実現可能である。
【００８７】
以上のように本発明によれば、高効率送信用データ変換器から出力されるデータを変調することによって、定包絡の信号のスイッチング動作した信号が得られる。したがって、後段に接続されるデバイスには線形性が必要なく、高効率な送信機が実現できる。
【００８８】
なお、以上までにおいて、各データを所定のクロック遅延させるために遅延器を用いる構成を説明したが、遅延器を使用しないで遅延させてもよい。
【００８９】
また、以上までの説明において、各ベクトル量子化器が振幅データを多値で量子化するとは、ｎ（ｎは２以上）個の閾値のうち入力ベクトルの大きさより小さい閾値のうち最も大きい閾値を振幅とし、位相が入力ベクトルと等しいベクトルを各量子化器が出力し、入力ベクトルの大きさが、ｎ個の閾値のうち最も大きい閾値より大きいときは、その大きさがその最も大きい閾値の大きさで、その位相が入力ベクトルと等しいベクトルを出力し、入力ベクトルの大きさが、ｎ個の閾値のうち最も小さい閾値より小さいときは、ゼロベクトルを出力することを意味する。
【００９０】
また、以上までの説明において、振幅データおよび位相データの両方を量子化される例も説明したが、振幅データのみ量子化された方が、量子化雑音が少なくなる。
【００９１】
また、以上までの説明において、本発明のデータ変換器は送信用データ変換器であるとしてきたが、受信用データ変換器等送信用以外のデータ変換器もあり得る。そのような場合でも、増幅器などの能動回路の非線形性の影響を抑制することができるという点で同様の効果を得ることができる。
【００９２】
また、本発明には、実施の形態１〜３のデータ変換器と、各データ変換器の出力を直交変調する直交変調部と、を備える信号発生器も含まれる。
【００９３】
また、本発明には、図２６に示すように、以上までに説明したデータ変換器または信号発生器を有する、送信機２００２および／または受信機２００３と、信号を送信および／または受信するためのアンテナ５００４とを備える通信機器２００１を含まれる。
【産業上の利用可能性】
【００９４】
本発明にかかるデータ変換器、データ変換方法によれば、増幅器の非線形性の影響を抑制することができ、送信機、通信機器等として有用である。
【図面の簡単な説明】
【００９５】
【図１】本発明の実施の形態１のデータ変換器の構成を説明する図
【図２】（ａ）本発明の実施の形態１のデータ変換器の動作を説明する図  （ｂ）本発明の実施の形態１のデータ変換器の動作を説明する図
【図３】本発明の実施の形態１のデータ変換器の特性を示す図
【図４】本発明の実施の形態１のデータ変換器の特性を示す図
【図５】本発明の実施の形態１でデータ変換器の具現化例の構成を示すブロック図
【図６】本発明の実施の形態１のデータ変換器の特性を示す図
【図７】本発明の実施の形態１のデータ変換器を用いた送信機の構成を示すブロック図
【図８】本発明の実施の形態１のデータ変換器を用いた送信機の動作を説明する図
【図９】（ａ）本発明の実施の形態１のデータ変換器を用いた送信機の動作を説明する図  （ｂ）本発明の実施の形態１のデータ変換器を用いた送信機の動作を説明する図  （ｃ）本発明の実施の形態１のデータ変換器を用いた送信機の動作を説明する図
【図１０】本発明の実施の形態１のデータ変換器を用いた送信機の構成を示すブロック図
【図１１】本発明の実施の形態１のデータ変換器を用いた送信機の構成を示すブロック図
【図１２】本発明の実施の形態１のデータ変換器の構成を説明する図
【図１３】本発明の実施の形態１のデータ変換器の構成を説明する図
【図１４】本発明の実施の形態２のデータ変換器の構成を説明する図
【図１５】本発明の実施の形態２のデータ変換器の特性を示す図
【図１６】本発明の実施の形態２のデータ変換器の特性を示す図
【図１７】本発明の実施の形態２のデータ変換器の具現化例の構成を示すブロック図
【図１８】本発明の実施の形態２のデータ変換器の特性を示す図
【図１９】本発明の実施の形態２のデータ変換器も用いた送信機の動作を説明する図
【図２０】本発明の実施の形態３のデータ変換器の構成を説明する図
【図２１】本発明の実施の形態３のデータ変換器の特性を示す図
【図２２】本発明の実施の形態３のデータ変換器の特性を示す図
【図２３】本発明の実施の形態３のデータ変換器の具現化例の構成を示すブロック図
【図２４】本発明の実施の形態３のデータ変換器の特性を示す図
【図２５】本発明の量子化雑音除去回路を用いた送信機の構成を示すブロック図
【図２６】本発明の通信機器の構成を示す図
【図２７】従来の送信機の構成を示すブロック図
【図２８】従来の送信機の特性を示す図
【図２９】本発明の実施の形態１のデータ変換器を用いた送信機の構成図
【図３０】本発明の実施の形態１のデータ変換器の構成図
【符号の説明】
【００９６】
１０１  入力端子
１０２  ベクトル引き算器
１０３  ベクトル積分器
１０４  ベクトル量子化器
１０５  出力端子
１０６  入力端子
１０７、１０９  ベクトル引き算器
１０８、１１０  ベクトル積分器
１１１  ベクトル量子化器
１１２、１１３  増幅器
１１４  出力端子
２０１  入力端子
２０２  ベクトル引き算器
２０３  ベクトル量子化器
２０４  遅延器
２０５  出力端子
３０１  入力端子
３０２、３０４  ベクトル引き算器
３０３  ベクトル量子化器
３０５  遅延器
３０６  出力端子
４０１、４０２  入力端子
４０３、４０４  スカラー引き算器
４０５、４０６  スカラー積分器
４０７  座標変換器（ＩＱ→ｐｏｌａｒ）
４０８  スカラー量子化器
４０９  座標変換器（ｐｏｌａｒ→ＩＱ）
４１０、４１１  出力端子
５０１、５０２  入力端子
５０３、５０４  スカラー引き算器
５０５  座標変換器（ＩＱ→ｐｏｌａｒ）
５０６  ベクトル量子化器
５０７  座標変換器（ｐｏｌａｒ→ＩＱ）
５０８、５０９  遅延器
５１０、５１１  出力端子
６０１、６０２  入力端子
６０３、６０４、６０８、６０９  スカラー引き算器
６０５  座標変換器（ＩＱ→ｐｏｌａｒ）
６０６  ベクトル量子化器
６０７  データ変換器（ｐｏｌａｒ→ＩＱ）
６１０、６１１  遅延器
６１２、６１３  出力端子
７０１  データ生成部
７０２  高効率送信用データ変換器
７０３  変調器
７０４  増幅器
７０５  バンドパスフィルタ
７０６  アンテナ
１００１  データ生成部
１００２  高効率送信用データ変換器
１００３  変調器
１００４  歪み補償回路
１００５  増幅器
１００６  バンドパスフィルタ
１００７  アンテナ
１１０１  データ生成部
１１０２  高効率送信用データ変換器
１１０３  歪み補償部
１１０４  変調器
１１０５  増幅器
１１０６  バンドパスフィルタ
１１０７  アンテナ
１２０１  データ生成部
１２０２  高効率送信用データ変換器
１２０３  ベクトル引き算器
１２０４、１２０５  変調器
１２０６、１２０７  増幅器
１２０８  合成器
１２０９  出力端子
５００１  データ生成器
５００３  増幅器
５００４  アンテナ
【図１】
2004159319.tif 000003
【図２】
2004159319.tif 000004
【図３】
2004159319.tif 000005
【図４】
2004159319.tif 000006
【図５】
2004159319.tif 000007
【図６】
2004159319.tif 000008
【図７】
2004159319.tif 000009
【図８】
2004159319.tif 000010
【図９】
2004159319.tif 000011
【図１０】
2004159319.tif 000012
【図１１】
2004159319.tif 000013
【図１２】
2004159319.tif 000014
【図１３】
2004159319.tif 000015
【図１４】
2004159319.tif 000016
【図１５】
2004159319.tif 000017
【図１６】
2004159319.tif 000018
【図１７】
2004159319.tif 000019
【図１８】
2004159319.tif 000020
【図１９】
2004159319.tif 000021
【図２０】
2004159319.tif 000022
【図２１】
2004159319.tif 000023
【図２２】
2004159319.tif 000024
【図２３】
2004159319.tif 000025
【図２４】
2004159319.tif 000026
【図２５】
2004159319.tif 000027
【図２６】
2004159319.tif 000028
【図２７】
2004159319.tif 000029
【図２８】
2004159319.tif 000030
【図２９】
2004159319.tif 000031
【図３０】
2004159319.tif 000032